(57)【特許請求の範囲】
【請求項１】
線状砥材の基端側がホルダによって保持されたブラシ状砥石と、筒状の周壁部を備えたブラシケースと、前記線状砥材の自由端側が前記周壁部の一端側の開口から外部に突出するように前記ホルダを前記周壁部内に固定する固定ねじと、を有する研磨機用ブラシにおいて、
前記周壁部には、前記ブラシケースの軸線方向の所定範囲にわたって開口部が形成され、
前記ホルダには、前記軸線方向と直交する方向にねじ穴が貫通形成され、
前記固定ねじは、該固定ねじの先端部が前記周壁部の内周面に突き当たるように前記開口部の側から締め込まれて前記ホルダを前記周壁部の前記開口部側の内周面に押し付け固定していることを特徴とする研磨機用ブラシ。
【請求項２】
前記開口部は、前記周壁部の軸線方向に沿って延びた長穴状であることを特徴とする請求項１に記載の研磨機用ブラシ。
【請求項３】
前記周壁部の内周面のうち、前記固定ねじの先端部が突き当たっている領域およびその周辺が平坦面になっていることを特徴とする請求項１または２に記載の研磨機用ブラシ。
【請求項４】
前記平坦面は、前記開口部を前記軸線方向と直交する方向に投影した領域と重なっていることを特徴とする請求項３に記載の研磨機用ブラシ。
【請求項５】
前記固定ねじは、１本で前記ホルダを前記周壁部内に固定していることを特徴とする請求項１乃至４の何れか一項に記載の研磨機用ブラシ。
【請求項６】
前記周壁部には、外周面が削れた形状の薄肉部が設けられ、
当該薄肉部と前記開口部は、前記ブラシケースの重心が前記周壁部の中心軸線上に位置するように配置されていることを特徴とする請求項１乃至５の何れか一項に記載の研磨機用ブラシ。
【請求項７】
前記固定ねじは、全体が前記ブラシケースの内側に入り込んでいることを特徴とする請求項１乃至６の何れか一項に記載の研磨機用ブラシ。
【請求項８】
前記ホルダの内周面に凹凸が形成されていることを特徴とする請求項１乃至７の何れか一項に記載の研磨機用ブラシ。
【発明の詳細な説明】
【技術分野】
【０００１】
本発明は、バリ取りならびに研磨加工用の研磨機用ブラシに関するものである。
【背景技術】
【０００２】
金属などの成形品、プレス品、機械加工品のバリ取りや研磨に用いられる工具として、線状砥材の基端側をホルダで束ねてブラシ状にしたブラシ状砥石を円筒状のブラシケースにより保持し、ブラシケースの端部から線状砥材の自由端側を所定寸法だけ突出させたものが提案されている(例えば、特許文献１参照)。
【０００３】
特許文献１に記載の研磨機用ブラシにおいて、ブラシケースは、周壁部に長穴状の案内穴が形成されているとともに、周壁部の中央に支軸が形成されている。一方、ホルダには、支軸が貫通する軸穴が形成されているとともに、ホルダの外周面から軸穴の内周面に向けてねじ穴が形成されている。従って、ブラシケースの案内穴を介してホルダのねじ穴に固定ねじをねじ込んで固定ねじの先端部を支軸の外周面に突き当てれば、ホルダを支軸に固定することができる。また、固定ねじを緩めれば、ブラシケース内でホルダを軸線方向に移動させることができるので、線状砥材の自由端部のブラシケースからの突出寸法を調整することができる。
【特許文献１】特開２００３−１３６４１３号公報
【発明の開示】
【発明が解決しようとする課題】
【０００４】
上記構成の研磨機用ブラシは、ハンディタイプの工具や大型の工作機械等に取り付けて使用するために種々の形状、寸法のものが作製されているが、近年、狭い隙間や細かい加工形状のワークに対するバリ取り作業や研磨加工に対応するために、より小径化した研磨機用ブラシが求められている。
【０００５】
しかしながら、小径の研磨機用ブラシでは、特許文献１に記載の構成のように、ブラシケース内に支軸を設け、ホルダに軸穴を設けることが困難である。また、ブラシケースの周壁部内に支軸を設け、ホルダに軸穴を設けることができたとしても、ホルダに十分な長さのねじ穴を設けることが不可能である。
【０００６】
また、特許文献１に記載の構成では、ブラシケースの中心軸線を中心とする点対称の２箇所に、長穴状の案内穴および固定ねじを配置したため、研磨機用ブラシの重心位置が回転中心軸線上にあるが、小径の研磨機用ブラシでは、１箇所しか案内穴および固定ねじを配置できないことが多く、そのような場合、研磨機用ブラシの重心位置が回転中心軸線上からずれてしまう。それ故、研磨機用ブラシを回転させた際、回転振れが発生しやすいという問題点がある。
【０００７】
さらに、特許文献１に記載の構成では、固定ねじの頭部がブラシケースの外側に突き出ているため、研磨機用ブラシを回転させた際、固定ねじの頭部がワークへ接触したり、風切り音などの異音が発生するという問題点もある。このような場合、例えば、ブラシケースの外周面に座ぐり部を設け、固定ねじの頭部がブラシケースから突出するのを避けた構成が考えられるが、小径で肉薄のブラシケースの場合、かかる座ぐり部を設けるのは困難であるという問題点がある。
【０００８】
以上の問題点に鑑みて、本発明の課題は、ブラシケースの小径化を図った場合でも、線状砥材を保持するホルダを確実にブラシケース内に保持でき、かつ、ブラシケースからの線状砥材の突出寸法を容易に調整することができる研磨機用ブラシを提供することにある。
【０００９】
また、本発明の課題は、研磨機用ブラシにおいて、重心を中心軸線上に位置させることのできる構成を提供することにある。
【００１０】
さらに、本発明の課題は、研磨機用ブラシにおいて、ブラシケースの外周面からの突出部分の発生を防止可能な構成を提供することにある。
【課題を解決するための手段】
【００１１】
上記課題を解決するため、本発明では、線状砥材の基端側がホルダによって保持されたブラシ状砥石と、筒状の周壁部を備えたブラシケースと、前記線状砥材の自由端側が前記周壁部の一端側の開口から外部に突出するように前記ホルダを前記周壁部内に固定する固定ねじと、を有する研磨機用ブラシにおいて、前記周壁部には、前記ブラシケースの軸線方向の所定範囲にわたって開口部が形成され、前記ホルダには、前記軸線方向と直交する方向にねじ穴が貫通形成され、前記固定ねじは、該固定ねじの先端部が前記周壁部の内周面に突き当たるように前記開口部の側から締め込まれて前記ホルダを前記周壁部の前記開口部側の内周面に押し付け固定していることを特徴とする。
【００１２】
本発明に係る研磨機用ブラシでは、筒状の周壁部を有するブラシケース内に、線状砥材を保持するホルダを固定するにあたって、ブラシケースの周壁部に形成した開口部から、ホルダに貫通形成されたねじ穴に固定ねじを締め込み、固定ねじの先端部を周壁部の内周面に突き当てる。その結果、ホルダおよび固定ねじは、ブラシケースの周壁部内において径方向に突っ張った状態となり、ホルダは、周壁部の開口部側の内周面に押し付け固定される。従って、研磨機用ブラシを小径化したためにブラシケース内に支軸を設けることができず、ホルダに軸穴を設けることができなくても、ホルダを好適な姿勢で周壁部内に固定することができる。また、固定ねじを緩めれば、ブラシケース内でホルダを軸線方向に移動させることができるので、ブラシケースにおいて開口部が形成されている範囲において、線状砥材の自由端部のブラシケースからの突出寸法を調整することができる。また、ホルダにねじ穴を貫通形成したため、ねじ穴の長さについては、ホルダの径寸法とすることができ、十分長いので、固定ねじによるブラシケース内へのホルダの固定が確実である。さらに、固定ねじとして六角穴付止めねじなどの止めねじを用いることができ、かかる固定ねじであれば、固定ねじの基端部がねじ穴内まで入り込んだ構成を採用することができる。
【００１３】
本発明において、前記開口部は、前記周壁部の軸線方向に沿って延びた長穴状であることが好ましい。このような構成を採用すると、開口部の軸線方向の寸法が長いので、ブラシケースの端部からの線状砥材の突出寸法を広い範囲にわたって調整することができる。しかも、開口部の軸線方向の寸法を長くした場合でも、開口部の形成範囲を無駄に広くする必要がないので、ホルダを周壁部の開口部側の内周面に押し付け固定した構造を採用した場合でも、ホルダと周壁部の内周面との接触面積が広いため、ホルダを好適な姿勢で確実に固定することができる。
【００１４】
本発明において、前記周壁部の内周面のうち、前記固定ねじの先端部が突き当たっている領域およびその周辺が平坦面になっていることが好ましい。このような構成を採用すると、固定ねじの先端部を円弧面に突き当てた場合と比較して、固定ねじの先端部がブラシケースの内周面にキズを付けても、線状砥材の突き出し長さの調整時にホルダをスムーズに動かすことができる。また、固定ねじの先端部がブラシケースの内周面に広い面積をもって突き当たるので、ホルダを確実に固定することができる。
【００１５】
本発明において、前記平坦面は、前記開口部を前記軸線方向と直交する方向に投影した領域と重なっていることが好ましい。このように構成すると、エンドミル工具を開口部から差し込んで周壁部の内周面を切削して平坦面を形成することができる。また、エンドミル工具によって周壁部に開口部を形成する際、周壁部の内周面を研削して平坦面を形成することもできる。
【００１６】
本発明において、前記固定ねじは、１本で前記ホルダを前記周壁部内に固定していることが好ましい。このような構成を採用すると、ブラシケース内へのブラシ状砥材の固定や、ブラシケース内でのホルダの固定位置を変更して線状砥材の突出寸法を調整する作業を容易かつ迅速に行うことができる。
【００１７】
本発明において、前記周壁部には、外周面が削れた形状の薄肉部が設けられ、当該薄肉部と前記開口部は、前記ブラシケースの重心が前記周壁部の中心軸上に位置するように配置されていることが好ましい。このような構成を採用すると、研磨機用ブラシの重心が回転中心軸線上に位置するので、研磨機用ブラシの回転振れを抑制することができ、研磨動作の安定性を向上することができる。
【００１８】
本発明において、前記固定ねじは、全体が前記ブラシケースの内側に入り込んでいることが好ましい。このような構成を採用すると、固定ねじの端部がブラシケースの外周面よりも外側に突出することがないので、研磨機用ブラシを回転させた際、固定ねじの頭部のワークへの接触や、風切り音などの異音の発生を抑制することができる。また、固定ねじの端部がブラシケースの外周面よりも外側に突出することがないので、安全である。
【００１９】
本発明において、前記ホルダの内周面に凹凸が形成されていることが好ましい。このような構成を採用すると、ホルダに保持された線状砥材の束に外周側から凹凸部分が接触する。よって、凹凸の食い込みや凹凸による摩擦効果の向上によって線状砥材の束の保持効果が高められる。よって、線状砥材の束をよりしっかりと固定することができる。
【発明の効果】
【００２０】
本発明に係る研磨機用ブラシでは、筒状の周壁部を有するブラシケース内に、線状砥材を保持するホルダを固定するにあたって、ブラシケースの周壁部の開口部から、ホルダに貫通形成されたねじ穴に固定ねじを締め込んで、固定ねじの先端部を周壁部の内周面に突き当てる。その結果、ホルダおよび固定ねじは、ブラシケースの周壁部内において径方向に突っ張った状態となり、ホルダは、周壁部の開口部側の内周面に押し付け固定される。従って、研磨機用ブラシを小径化したためにブラシケース内に支軸を設けることができず、ホルダに軸穴を設けることができなくても、ホルダを好適な姿勢で周壁部内に固定することができる。また、固定ねじを緩めれば、ブラシケース内でホルダを軸線方向に移動させることができるので、ブラシケースにおいて開口部が形成されている範囲において、線状砥材の自由端部のブラシケースからの突出寸法を調整することができる。また、ホルダにおいてねじ穴を貫通形成したため、ねじ穴の長さについては、ホルダの径寸法とすることができ、十分長いので、固定ねじによるブラシケース内へのホルダの固定が確実である。さらに、固定ねじとして六角穴付止めねじなどを用いることができ、かかる固定ねじであれば、固定ねじの基端部がねじ穴内まで入り込んだ構成を採用することができる。それ故、固定ねじ全体がブラシケースの内側に入り込んで固定ねじの端部がブラシケースの外周面から突出していない構造を実現することもできる。
【発明を実施するための最良の形態】
【００２１】
以下、図面を参照して、本発明の一実施形態に係る研磨機用ブラシについて説明する。
【００２２】
(研磨機用ブラシの全体構成)
図１は、本発明を適用した研磨機用ブラシの斜視図である。図２(ａ)、(ｂ)は各々、図１に示す研磨機用ブラシを図１のＢ−Ｂ線に相当する位置で切断したときの断面図、およびＡ−Ａ線に相当する位置で切断したときの断面図である。
【００２３】
図１および図２(ａ)、(ｂ)に示すように、本発明を適用した研磨機用ブラシ１０は、ブラシ状砥石１と、このブラシ状砥石１を保持するブラシケース２と、ブラシ状砥石１をブラシケース２に固定するための固定ねじ３とを備えている。
【００２４】
ブラシ状砥石１は、多数本の線状砥材１１と、これらの線状砥材１１の基端側を保持するホルダ１２とを備えている。線状砥材１１は、アルミナ繊維フィラメント等の無機長繊維の集合体にエポキシ樹脂やシリコーン樹脂などのバインダー樹脂を含浸、硬化させて線状に形成したものである。なお、無機長繊維は、被研磨材に対して相対的に研磨性を有する材料、すなわち、研磨する材料よりも硬くてかつ脆い材料であれば特に限定されるものではなく、例えば、アルミナ繊維の他、炭化ケイ素繊維、ボロン繊維、あるいはガラス繊維を用いることができる。なお、研磨する材料によってはこれらが混合していてもよく、アルミナ繊維、炭化ケイ素繊維は、鉄系、非鉄系金属に対する研磨性が非常によい。
【００２５】
ホルダ１２は金属で形成され、その外形は円柱状である。ホルダ１２の一端側には、軸線方向に開口する円筒状の砥材保持部１２ａが形成されており、この砥材保持部１２ａの内部に線状砥材１１の束の基端部を挿入して接着固定することにより、線状砥材１１とホルダ１２が一体に結合されている。砥材保持部１２ａの内周面には周方向の溝加工がなされており、細かい凹凸部(周溝)が線状砥材１１の束に外周側から接触している。これにより、凹凸の食い込みや凹凸による摩擦効果の向上によって線状砥材１１の束の保持効果が高められる。よって、線状砥材１１の束をよりしっかりと固定できるようになっている。なお、砥材保持部１２ａの開口縁をかしめ加工等によって内側に曲げることにより、アンカー効果によって線状砥材の束をさらに強固に固定するように構成してもよい。
【００２６】
ブラシケース２は、有底円筒状の周壁部２１と、周壁部２１の一端側から、周壁部２１の中心軸線Ｌ(研磨機用ブラシ１０の回転中心軸線)方向に延出された駆動用連結軸２２とを備えており、周壁部２１の内径寸法は、ホルダ１２の外径寸法よりやや大きい。本形態において、ブラシケース２は金属製とされ、本例では、周壁部２１及び駆動用連結軸２２をステンレス鋼により形成したものが用いられている。駆動用連結軸２２は、研磨機用ブラシ１０を研磨装置に取り付けるためのものであり、この駆動用連結軸２２を介して研磨機用ブラシ１０に駆動力が伝達され、研磨動作が行われる。研磨機用ブラシ１０は、通常は軸線周りに回転駆動されるが、回転に限らず、往復動作、オシレーション動作、揺動、あるいはこれらの動作を組み合わせた動きが行われることもある。
【００２７】
(ブラシケースに対するブラシ状砥石の固定構造)
図３は、図１に示す研磨機用ブラシに用いたブラシケースの斜視図である。本形態では、ブラシケース２にブラシ状砥石１を固定ねじ３により固定するにあたって、まず、ブラシケース２の周壁部２１には、軸方向に沿って延びる長穴状の開口部２１ａが１箇所形成されている。また、周壁部２１の内周面において、中心軸線Ｌを挟んで開口部２１ａと対向する領域には、軸方向に沿って延びる平坦面２１ｂが形成されている。平坦面２１ｂは、周壁部２１の内周面に対する切削加工により形成されており、周囲よりも凹んだ構造になっている。また、平坦面２１ｂは、開口部２１ａを中心軸線Ｌと直交する方向に投影した領域と重なっている。すなわち、本形態では、エンドミル工具によって周壁部２１に開口部２１ａを形成した後、続いて、エンドミル工具によって周壁部２１の内周面を切削することにより、平坦面２１ｂが形成される。
【００２８】
また、図３に示すように、周壁部２１には、他の部位よりも肉厚が薄い薄肉部２１ｃが形成されている。かかる薄肉部２１ｃは、周壁部２１の外周面の一部を軸線方向に沿って所定長さ分だけ細長く平坦に削った形状になっている。本形態において、中心軸線Ｌを挟んで開口部２１ａと対向する位置Ｐ１の両側に２つの薄肉部２１ｃが形成されており、２つの薄肉部２１ｃは、位置Ｐ１を中心とする線対称に形成されている。このため、ブラシケース２は、周壁部２１に開口部２１ａが形成されているが、２つの薄肉部２１ｃの形成、および平坦面２１ｂの形成によって、重心位置が中心軸線Ｌ上にある。
【００２９】
一方、ホルダ１２の上端側部分には、中心軸線Ｌを通り、かつ、中心軸線Ｌに対して直交する方向にねじ穴１２ｂが貫通形成されている。かかるねじ穴１２ｂは、ブラシ状砥石１をブラシケース２に組み付ける際、固定ねじ３を螺着するためのものである。本形態では、固定ねじ３として、六角穴付止めねじが用いられており、固定ねじ３の端部には、六角レンチ５の先端を嵌合するための六角穴３１が形成されている。
【００３０】
(研磨機用ブラシの組立方法、線状砥材の突出寸法調整方法)
以下、研磨機用ブラシ１０の組立方法、線状砥材１１の突出寸法調整方法を説明しながら、本発明を適用した研磨機用ブラシ１０の構成を詳述する。
【００３１】
本発明を適用した研磨機用ブラシ１０を組み立てるにあたって、ブラシ状砥石１をブラシケース２に組み付けて固定ねじ３で固定する際には、まず、ブラシケース２内にブラシ状砥石１をホルダ１２側から挿入する。そして、ブラシ状砥石１をブラシケース２内で軸方向にスライドさせることにより、線状砥材１１の自由端側が周壁部２１の一端側の開口から必要な長さだけ突き出すように組み付け位置の調整を行う。その際、ブラシケース２に形成された開口部２１ａからホルダ１２のねじ穴１２ｂの開口が見えるように周方向の位置を調整しながら挿入する。これにより、ホルダ１２に設けられたねじ穴１２ｂへの開口部２１ａからのアクセスが可能となる。
【００３２】
次に、開口部２１ａから固定ねじ３をねじ穴１２ｂに螺入し、開口部２１ａ側からねじ穴１２ｂの奥側に向かって締め込む。固定ねじ３は、六角穴付き止めねじであるため、ねじ穴１２ｂの内部に完全に収容されるまで締め込まれる、その結果、固定ねじ３の先端部３０は、ねじ穴１２ｂからわずかに突出してブラシケース２の内周面に形成された平坦面２１ｂに突き当たる。その結果、ブラシケース２の周壁部２１内において、固定ねじ３およびホルダ１２は径方向に突っ張った状態となり、ホルダ１２は、周壁部２１の開口部２１ａ側の内周面に押し付け固定される。この状態で、固定ねじ３の基端部は、ねじ穴１２ｂ内に入り込んでいるので、固定ねじ３が周壁部２１の外周面から一切、突出していない。なお、ブラシ状砥石１をブラシケース２へ挿入する前に固定ねじ３を予めねじ穴１２ｂ内に螺入しておき、ブラシ状砥石１をブラシケース２に固定する際、開口部２１ａから固定ねじ３を締め込んでもよい。
【００３３】
このようにして、ブラシ状砥石１のブラシケース２への固定が完了した研磨機用ブラシ１０を研磨に使用していくと、線状砥材１１の先端部が磨耗し、線状砥材１１の突出寸法が短くなる。このような場合には、固定ねじ３を緩めてからホルダ１２を軸線方向に移動させ、線状砥材１１の突出寸法を最適な寸法に調整した後、固定ねじ３を再び締め込んでホルダ１２をブラシケース２内に固定する。
【００３４】
(本実施形態の主な効果)
以上説明したように、本実施形態の研磨機用ブラシ１０は、円筒状の周壁部２１を備えたブラシケース２内に、線状砥材１１を保持するホルダ１２が固定ねじ３によって固定されている。ここで、固定ねじ３は、ブラシケース２の周壁部２１に形成した開口部２１ａを介して、ホルダ１２を貫通するねじ穴１２ｂに螺入され、その先端部３０がホルダ１２の外周面から突出してブラシケース２の内周面に突き当たっている。このため、ホルダ１２および固定ねじ３をブラシケース２の周壁部２１内において径方向に突っ張った状態にすることができ、ホルダ１２をブラシケース２において開口部２１ａが形成されている側の内周面に押し付け固定することができる。従って、研磨機用ブラシ１０を小径化したためにブラシケース２内に支軸を設けることができず、ホルダ１２に軸穴を設けることができなくても、１本の固定ねじ３により、ホルダ１２を周壁部２１内に固定することができる。また、円筒状の周壁部２１の内径寸法は、円柱状のホルダ１２の外径寸法よりやや大きいだけであるので、ホルダ１２をブラシケース２の内周面に押し付け固定した状態で、ホルダ１２は、周壁部２１に対して同軸状の好適な姿勢で固定される。
【００３５】
また、固定ねじ３を緩めれば、ブラシケース２内でホルダ１２を軸線方向に移動させることができるので、ブラシケース２において開口部２１ａが形成されている範囲において、線状砥材１１の自由端部のブラシケース２からの突出寸法を調整することができる。しかも、開口部２１ａは、周壁部２１の軸線方向に沿って延びた長穴状であるため、線状砥材１１の突出寸法を広い範囲にわたって調整することができる。特に、線状砥材１１として、アルミナや炭化ケイ素の無機長繊維の集合体にエポキシ樹脂やシリコーン樹脂などのバインダー樹脂を含浸、硬化させて線状に形成したものを用いた場合、線状砥材１１の突出寸法により、研磨条件が大きく変動するので、線状砥材１１の突出寸法を調整すれば、適度な弾性を付与することもできるため、線状砥材１１にアルミナ繊維や炭化ケイ素繊維を用いたことによる特長を最大限、発揮することができる。
【００３６】
さらに、開口部２１ａは、周壁部２１の軸線方向に沿って延びた長穴状であるため、開口部２１ａの軸線方向の寸法を長くした場合でも、開口部２１ａの形成範囲を無駄に広くする必要がないので、ホルダ１２を周壁部２１の開口部２１ａ側の内周面に押し付け固定した構造を採用した場合でも、ホルダ１２と周壁部２１の内周面との接触面積が広いため、ホルダ１２を好適な姿勢で確実に固定することができる。
【００３７】
また、１本の固定ねじ３でホルダ１２をブラシケース２の内部に固定できるので、ブラシケース２内へのホルダ１２の固定作業や、ブラシケース２内でのホルダ１２の固定位置を変更して線状砥材１１の突出寸法を調整する作業を容易かつ迅速に行うことができる。
【００３８】
さらに、ホルダ１２にねじ穴１２ｂを貫通形成したため、ねじ穴１２ｂの長さについては、ホルダ１２の径寸法とすることができ、十分長いので、固定ねじ３によるブラシケース２内へのホルダ１２の固定が確実である。さらに、固定ねじ３として六角穴付止めねじを用いることができ、かかる固定ねじ３であれば、固定ねじ３の基端部がねじ穴１２ｂ内まで入り込んだ構成を採用することができる。それ故、固定ねじ３全体がブラシケース２の内側に入り込んで固定ねじ３の端部がブラシケース２の外周面から突出していない構造を実現することができるので、研磨機用ブラシ１０を回転させた際の固定ねじの頭部のワークへの接触や風切り音などの異音の発生を抑制することができるとともに、安全である。
【００３９】
また、ブラシケース２の重心が周壁部２１の軸線上に位置しているので、研磨機用ブラシ１０の重心位置とその回転中心軸線Ｌとを一致させることができるので、研磨機用ブラシ１０の回転振れを抑制することができ、研磨動作の安定性を向上させることができる。
【００４０】
また、本実施形態では、固定ねじ３の先端部３０を平坦面２１ｂに突き当てているので、固定ねじ３の先端部３０とブラシケース２の内周面とを安定して接触させることができ、ホルダ１２を確実に固定することができる。
【００４１】
(改変例)
上記実施形態では、ブラシケース２の周壁部２１に、軸方向に沿って長穴状の開口部２１ａを設けていたが、開口部２１ａの形状はこのようなものに限定されない。例えば、周壁部２１に軸方向に沿って一定間隔で並んだ複数の開口を設けてもよい。このようにすれば、線状砥材の突出寸法を一定のピッチで調整することが可能である。本発明では、固定ねじ３の頭部を完全にねじ穴１２ｂの内部に収容することができるので、開口部２１ａが不連続な形状であっても、ホルダ１２のブラシケース２内におけるスライド動作が固定ねじ３によって妨げられることがない。
【図面の簡単な説明】
【００４２】
【図１】本発明を適用した研磨機用ブラシの斜視図である。
【図２】(ａ)、(ｂ)は各々、図１に示す研磨機用ブラシを図１のＢ−Ｂ線に相当する位置で切断したときの断面図、およびＡ−Ａ線に相当する位置で切断したときの断面図である。
【図３】図１に示す研磨機用ブラシに用いたブラシケースの斜視図である。
【符号の説明】
【００４３】
１      ブラシ状砥石
２      ブラシケース
３      固定ねじ
１０    研磨機用ブラシ
１１    線状砥材
１２    ホルダ
１２ａ  砥材保持部
１２ｂ  ねじ穴
２１    周壁部
２１ａ  開口部
２１ｂ  平坦面
２１ｃ  薄肉部
２２    駆動用連結軸
３０    先端部
３１    六角穴
Ｌ      中心軸線
【図１】
0004972492.tif 000002
【図２】
0004972492.tif 000003
【図３】
0004972492.tif 000004